(57)【特許請求の範囲】
【請求項１】
基部と、
前記基部に案内部を介して載置される可動部と、を備え、
前記可動部が、前記基部に対して、一方向に引き出し自在となる収納具であって、
前記可動部は、弾性部材によって前記案内部を介して前記基部に取り付けられており、前記可動部は、前記案内部と前記弾性部材によって接続されていることを特徴とする収納具。
【請求項２】
請求項１に記載の収納具であって、
前記案内部は、
前記基部に設けられる前記可動部の移動範囲を規制する溝と、
前記溝と移動可能に係合する係合部材と、
を備え、
前記可動部は、前記係合部材と前記弾性部材によって接続されていることを特徴とする収納具。
【請求項３】
請求項１又は２に記載の収納具であって、
前記可動部には、被収納物を収納する収納部が設けられることを特徴とする収納具。
【請求項４】
請求項３に記載の収納具であって、
前記弾性部材の一部は、前記収納部に露出していることを特徴とする収納具。
【発明の詳細な説明】
【技術分野】
【０００１】
本発明は、被収納物を収納する収納具の技術分野に関する。
【背景技術】
【０００２】
店舗等で取り扱われる商品は、一般的に複数段の棚に並べられて陳列されている。
【０００３】
また、複数の商品を整理して効率的に陳列等するために、この棚に、複数段の引き出しを備える戸棚が載置されて、かかる商品の陳列に利用される場合もある。
【０００４】
このような複数段の引き出しを備える戸棚は、例えば、特許文献１に開示されている。
【先行技術文献】
【特許文献】
【０００５】
【特許文献１】実用新案登録番号第３０４２１６４号公報
【発明の概要】
【発明が解決しようとする課題】
【０００６】
一般的に、棚は、（店舗の）床下方向から天井方向に向かって、階層状に配置される。そして、床下方向に近接する位置に配置される棚に商品が陳列された場合には、需要者は、当該陳列された商品を手にするまで屈んだりしなければならず、需要者（商品購入者）が商品を取りだし難いといった問題点がある。
【０００７】
また、床下方向に近接する位置に配置される棚に、商品が収納される複数段の引き出しを備える戸棚が載置された場合には、需要者は、引き出しを引き出すまで屈んだりしなければならず、需要者が引き出しを引き出し難く、また、引き出しをしまい難いといった問題点がある。
【０００８】
そこで、本発明は、上記問題点に鑑みてなされたものであり、その目的の一例は、利用者が容易に被収納物を取り出し、又は収納することができる収納具等を提供することである。
【課題を解決するための手段】
【０００９】
上記課題を解決するために、請求項１に記載の発明は、基部と、前記基部に案内部を介して載置される可動部と、を備え、前記可動部が、前記基部に対して、一方向に引き出し自在となる収納具であって、前記可動部は、弾性部材によって前記案内部を介して前記基部に取り付けられており、前記可動部は、前記案内部と前記弾性部材によって接続されていることを特徴とする。
【００１０】
また、請求項２に記載の発明は、請求項１に記載の収納具であって、前記案内部は、前記基部に設けられる前記可動部の移動範囲を規制する溝と、前記溝と移動可能に係合する係合部材と、を備え、前記可動部は、前記係合部材と前記弾性部材によって接続されていることを特徴とする。
【００１１】
また、請求項３に記載の発明は、請求項１又は２に記載の収納具であって、前記可動部には、被収納物を収納する収納部が設けられることを特徴とする。
また、請求項４に記載の発明は、請求項３に記載の収納具であって、前記弾性部材の一部は、前記収納部に露出していることを特徴とする。
【発明の効果】
【００１２】
以上のように、本発明における収納具によれば、利用者が容易に被収納物を取り出し、又は収納することができる収納具等を提供することができる。
【図面の簡単な説明】
【００１３】
【図１】本実施形態における収納具Ｓ１の外観を示す斜視図である。
【図２】本実施形態における収納具Ｓ１の構成部材を示す模式図である。
【図３】収納具Ｓ１の動作を示す概念図である。
【図４】引き出し１の展開図である。
【図５】基部５０の展開図である。
【図６】レール２００の展開図である。
【発明を実施するための形態】
【００１４】
以下に、本願の最良の実施形態を添付図面に基づいて説明する。
【００１５】
［１.収納具Ｓ１の概要及び構成部材］
まず、本実施形態における収納具Ｓ１の概要について、図１及び図２を用いて説明する。
【００１６】
図１は、本実施形態における収納具Ｓ１の外観を示す斜視図である。ここで説明の便宜上、座標軸３００を定義する。座標軸３００において、Ｙ軸方向（収納具Ｓ１の設置した位置を基準とした場合の天井（天面）方向、又は、Ｘ軸及びＺ軸に直行する方向）を総称して垂直方向と、Ｘ軸方向（収納具Ｓ１の長手方向）を長手方向と、Ｚ軸方向（収納具Ｓ１の短手方向）を短手方向と、それぞれ定義する。さらに、Ｙ軸の矢印が示す方向を上方と、これと対向する方向を下方と定義する。また、Ｘ軸の矢印が示す方向を前方と、これと対向する方向を後方と定義する。また、Ｚ軸の矢印が示す方向を左と、これと対向する方向を右と定義する。
【００１７】
図１に示すように、収納具Ｓ１（本願の収納具の一例）は、基部５０（本願の基部の一例）に、引き出し１（本願の被収納物を収納する収納部が設けられた可動部の一例）が載置される。引き出し１には、例えば、店舗で販売される商品や店舗で用いられる備品等（本願の被収納物の一例）を収納する収納部Ｐ（本願の収納部の一例）が設けられている。
【００１８】
図２は、本実施形態における収納具Ｓ１の構成部材を示す模式図である。
【００１９】
図２に示すように、収納具Ｓ１は、引き出し１、前面板１００、レール２００（本願の案内部としての係合部材の一例）、基部５０、摺動部材１０５、摺動部材１０６、及びゴムＴ（本願の弾性部材の一例）等の構成部材から構成される。
【００２０】
引き出し１の前方には、前面板１００が固定される。この固定方法は任意に選択でき、テープ、糊、接着材による貼付でもよい。以下、固定とした場合には、これらの固定方法が適用できるものとする。
【００２１】
前面板１００は、引き出し１が基部５０に載置された際、外部（特に前方）から基部５０を隠すために用いられ、これにより、収納具Ｓ１の審美性向上が図られる。
【００２２】
引き出し１の底部２には、レール２００が固定される。
【００２３】
レール２００は、天面部２０２を基準に板状の部材を凸形状に折り曲げた台座部２０１が、底部２０７に固定されている。そして、天面部２０２に穿孔された穴部２０２ａと底部２の穴部２ａ、及び、穴部２０２ｂと穴部２ｂを対応させて、底部２に固定されており、これらの穴部が貫通穴を形成するようになっている。
【００２４】
基部５０の略矩形の底部５１の各辺には、断面略矩形の角筒状の支持部５２、支持部５８、支持部６４、及び支持部７２が設けられている。
【００２５】
支持部５２及び支持部５８の先端部には切り欠き部５５ａ（本願の案内部としての基部に設けられる可動部の移動範囲を規制する溝の一例）及び切り欠き部６１ａ（本願の案内部としての基部に設けられる可動部の移動範囲を規制する溝の一例）が形成されており、この切り欠き部５５ａ及び切り欠き部６１ａによって、支持部５２（より具体的には、後述する組み立てられた際の側部５５）と底部５１、及び支持部５８（より具体的には、後述する組み立てられた際の側部６１）と底部５１との間に、それぞれ隙間Ａ（クリアランス）が形成される。
【００２６】
そして、この隙間Ａに、レール２００の平坦部（側部２０４及び側部２０６と、底部２０７が固定された部分）が挿入される。レール２００が隙間Ａに挿入されることによって、引き出し１が、基部５０に対して、切り欠き部５５ａ、及び切り欠き部６１ａの長手方向の長さの範囲内で、前方及び後方へ移動自在（本願の一方向に引き出し自在の一例）となっている。
【００２７】
このように本願の案内部は、レール２００の平坦部、切り欠き部５５ａ、及び切り欠き部６１ａによって構成される。そして、この案内部によって、引き出し１は、基部５０に対して、切り欠き部５５ａ、及び切り欠き部６１ａの長手方向の長さの範囲内で、前方及び後方へ移動自在となるのである。
【００２８】
さらに、支持部５２及び支持部５８の上方には、摺動部材１０５及び摺動部材１０６が固定される。
【００２９】
この摺動部材１０５及び摺動部材１０６は、引き出し１と基部５０の摩擦係数を減少させて、引き出し１が基部５０に対して容易に移動自在となるように設けられるものである。  
【００３０】
摺動部材１０５及び摺動部材１０６の一例として、表面にシリコン含有の合成樹脂層が形成された凹凸形状の塩化ビニル樹脂又は、ポリアセタール樹脂等の他の合成樹脂材が適用される。なお、摺動部材１０５及び摺動部材１０６は、引き出し１と基部５０の摩擦係数が減少する部材であればこれに限定されず、全ての公知の材料又は部材を適用することができる。
【００３１】
そして、穴部２ａ、穴部２ｂ、穴部２０２ａ、穴部２０２ｂ、基部５０の穴部７０、及び穴部７１には、ゴムＴが連通（本願の接続の一例）されている。
【００３２】
ゴムＴは、引き出し１が、基部５０に対して前方に引き出された場合に、引き出し１を後方（本願の引き出された方向と反対方向の一例）へ所定の引き戻し力を作用させるための部材である。
【００３３】
ゴムＴの素材としては、引き出し１が、基部５０に対して前方に引き出された場合に、引き出し１に対して、前記引き出された方向と反対の方向へ所定の引き戻し力が作用するような部材であればよく、一例として、ポリイソプレンを主成分とする天然ゴム、アクリルゴム、ニトリルゴム、イソプレンゴム、ウレタンゴム、エチレンプロピレンゴム等の合成ゴム、外部が被覆されたコイルスプリング等の他、ゴム弾性を持った全ての公知の個体（弾性部材）を適用することができる。
【００３４】
図３は、引き戻し力が作用した場合の収納具Ｓ１を示す概念図である。
【００３５】
図３に示すように、引き出し１が、基部５０に対して前方に移動した場合には、ゴムＴの弾性力によって、引き出し１が基部５０に近接する方向（図３の矢印Ｑの方向）へ所定の引き戻し力が作用する。
【００３６】
［２.収納具Ｓ１の構成部材の展開図］
次に、収納具Ｓ１の構成部材の展開図について、図４〜図６を用いて説明する。
【００３７】
まず、引き出し１の展開図について、図４を用いて説明する。
【００３８】
図４は、引き出し１の展開図である。
【００３９】
ここで説明の便宜上、座標軸４００を定義する。座標軸４００において、Ｙ軸方向（紙面の垂直方向、又は引き出し１の展開図の長手方向）を総称して垂直方向と、Ｘ軸方向（紙面の水平方向、又は引き出し１の展開図の短手方向）を水平方向と定義する。さらに、Ｙ軸の矢印が示す方向を上方と、これと対向する方向を下方と定義する。また、Ｘ軸の矢印が示す方向を右と、これと対向する方向を左と定義する。さらに、紙面側を表側と、紙面と対向する側を裏側と定義する。さらに、構成部材（引き出し１等）の中心に向かう方向を内側、外側へ向かう方向を外側と定義する。
【００４０】
図４に示すように、引き出し１の展開図は、例えば、ＰＥＴ材等の薄型樹脂製板材、又は段ボール（例えば、ＪＩＳＺ１５１６等で規定されるもの）等の折り曲げ可能な板状の部材を素材とし、主として底部２、側部３等、後部７等、前部９等が折り線を介して連接されている。以下、板状の部材の一例として、段ボールを適用した場合について説明する。
【００４１】
そして、この引き出し１の展開図は、段ボールを引き出し１と略同じ形の金型（例えば、いわゆるビク型等）により打ち抜いて形成される。打ち抜かれる際に、図４における実線部分の切断が行われる。以下の展開図（図４、図５、及び図６）において、特に示す場合を除き、実線部分は金型によって打ち抜いて形成されるものとする。
【００４２】
なお、本実施形態における引き出し１は左右対称形状を示すものである。従って、左右で同一形状を示す個所については、少なくとも同一の構成、作用、及び効果を奏するものとする。
【００４３】
引き出し１の具体的な構成について説明すると、略矩形の底部２の左右両端部には、側部３及び側部５が折り線を介して折り曲げ自在に連接される。
【００４４】
この折り線は、段ボールを折り曲げ自在とするための処理が施されたものであり、例えば、段ボールから打ち抜かれて形成される包装箱Ｓ１に対して、筋付け（筋押し、又は筋入れ）等の各処理を施すことにより形成される（いわゆる罫線も含む）。
【００４５】
以下の展開図（図４、図５、及び図６）において、他に示す折り線は、特に示す場合を除き、図面中において点線で示し、上述した特性を有する。
【００４６】
側部３の左端部には、折り線を介して側部４が連接されている。
【００４７】
側部３と側部４を連接する折り線は、上述した折り線が互いに平行に２本形成されたものであり、一般的に２本罫と称される。この２本罫は、側部４と側部３を面接触させる方向へ折り曲げ易くするとともに、このように折り曲げられた側部４と側部３の間に挿入される後述する挿入片９ａ及び挿入片７ａを挟み込んだときの厚みに対応するために形成されるものである。
【００４８】
以下の展開図（図４、図５、及び図６）において、他に示す折り線のうち２本罫が形成されるものは、特に示す場合を除き、図面中において２本の平行する点線で示し、上述した特性を有することとする。
【００４９】
側部４の上下方向の両端部には、折り曲げ片４ａ及び折り曲げ片４ｂが、折り線を介して連接される。
【００５０】
側部５の右端部には、側部６が、２本罫を介して連接されており、側部６の上下方向の両端部には、折り曲げ片６ａ及び折り曲げ片６ｂが、折り線を介して連接される。
【００５１】
底部２の上方端部には、左右両端部に折り線を返して挿入片９ａ及び挿入片９ｂが連接された前部９が、折り線を介して連接される。前部９の上方端部には、前部１０が、２本罫を介して連接される。
【００５２】
この２本罫は、詳しくは後述するが、前部９と前部１０を面接触させる方向へ折り曲げ易くするとともに、このように折り曲げられた前部９と前部１０の間で挟み込まれる折り曲げ片４ａ及び折り曲げ片６ａを挟み込んだときの厚みに対応するために形成されるものである。
【００５３】
前部１０の左右両端部には、切り欠き部１０ａ及び切り欠き部１０ｂが形成される。
【００５４】
この切り欠き部１０ａ及び切り欠き部１０ｂは、詳しくは後述するが、互いに面接触するように折り込まれた側部３及び側部４、又は、互いに面接触するように折り込まれた側部５及び側部６が、互いに背離する方向へ開くことを防止するために設けられたものである。
【００５５】
前部９及び前部１０には、それぞれ穴部１１ａ及び穴部１１ｂが穿孔される。
【００５６】
この穴部は、前部９及び前部１０が折り曲げられた際に貫通穴を形成し、利用者が指等を挿入し引き出し１を引き出す際に利用される。
【００５７】
底部２の下方端部には、左右両端部に折り線を返して挿入片７ａ及び挿入片７ｂが連接された後部７が、折り線を介して連接される。前部７の下方端部には、後部８が、２本罫を介して連接される。
【００５８】
この２本罫は、詳しくは後述するが、後部７と後部８を面接触させる方向へ折り曲げ易くするとともに、このように折り曲げられた後部７と後部８の間で挟み込まれる折り曲げ片４ｂ及び折り曲げ片６ｂを挟み込んだときの厚みに対応するために形成されるものである。
【００５９】
後部８の左右両端部には、切り欠き部８ａ及び切り欠き部８ｂが形成される。
【００６０】
この切り欠き部８ａ及び切り欠き部８ｂは、詳しくは後述するが、互いに面接触するように折り込まれた側部３及び側部４、又は、互いに面接触するように折り込まれた側部５及び側部６が、互いに背離する方向へ開くことを防止するために設けられたものである。
【００６１】
このような展開図から引き出し１を組み立てる方法の一例としては、まず、折り曲げ片４ａ及び折り曲げ片４ｂを、裏側方向へ、側部４に立設するように折り曲げる。そして、側部３及び側部４を、互いに面接触させる方向へ折り曲げる。このようにして折り曲げた側部３及び側部４を、さらに内側方向へ、底部２に立設するように折り曲げる。
【００６２】
次に、折り曲げ片６ａ及び折り曲げ片６ｂを、裏側方向へ、側部６に立設するように折り曲げる。そして、側部５及び側部６を、互いに面接触させる方向へ折り曲げる。このようにして折り曲げた側部５及び側部６を、さらに内側方向へ、底部２に立設するように折り曲げる。
【００６３】
次に、前部９を、内側方向へ、底部２へ立設するように折り曲げるのであるが、この時、折り曲げられた側部３と側部４の間に挿入片９ａを、折り曲げられた側部５と側部６の間に挿入片９ｂを、それぞれ挿入する。
【００６４】
そして、前部１０を、折り曲げられた折り曲げ片４ａ及び折り曲げ片６ａを挟み込んで、前部９へ面接触させる方向へ折り曲げる。
【００６５】
次に、前部７を、内側方向へ、底部２へ立設するように折り曲げるのであるが、この時、折り曲げられた側部３と側部４の間に挿入片７ａを、折り曲げられた側部５と側部６の間に挿入片７ｂを、それぞれ挿入する。
【００６６】
そして、後部８を、折り曲げられた折り曲げ片４ｂ及び折り曲げ片６ｂを挟み込んで、前部９へ面接触させる方向へ折り曲げる。
【００６７】
そして、前面板１００を前部９に固定する。
【００６８】
なお、引き出し１を組み立てる方法は上述した例に限られず、任意に選択することが可能である。
【００６９】
次に、基部５０の展開図について、図５を用いて説明する。
【００７０】
図５は、基部５０の展開図である。
【００７１】
図５に示すように、基部５０の展開図は、図４に示す引き出し１の展開図と同様に、ＰＥＴ材等の薄型樹脂製板材、段ボール、又は少なくとも２以上の板状の部材を組み合わせてなる合成部材（例えば、３枚以上の板状の部材を組み合わせた、いわゆる三枚合紙）等の折り曲げ可能な板状の部材を素材とし、主として底部５１、側部５３等、前部７３等、及び後部６５等が折り線を介して連接されている。以下、板状の部材の一例として、三枚合紙を適用した場合について説明する。
【００７２】
そして、この基部５０の展開図は、三枚合紙を基部５０と略同じ形の金型により打ち抜いて形成される。打ち抜かれる際に、図５における実線部分の切断が行われる。
【００７３】
なお、本実施形態における基部５０は、左右対称形状を示すものである。従って、左右で同一形状を示す個所については、少なくとも同一の構成、作用、及び効果を奏するものとする。
【００７４】
基部５０の具体的な構成について説明すると、略矩形の底部５１の左端部には、側部５３〜側部５５が、折り線を介して折り曲げ自在に連接される。支持部５２は、側部５３〜側部５５を、折り線の部位で、断面略矩形の角筒状に折り曲げて形成されるようになっている。
【００７５】
側部５３の上下両端部には、折り曲げ片５３ａ及び折り曲げ片５３ｂが、折り線を介してそれぞれ連接される。
【００７６】
側部５４及び側部５５には、穴部５６及び穴部５７が形成される。
【００７７】
穴部５６及び穴部５７の全体的な形状について説明すると、側部５４に形成される穴部５６ｂ及び穴部５７ｂは、側部５５に形成される穴部５６ａ及び穴部５７ａよりも巾が広く形成されている。詳しくは後述するが、基部５０が組み立てられる際に、穴部５６ｂへ先端部６７ａが、穴部５７ｂへ先端部７５ａが、それぞれ挿入される。そして、穴部５６ａとスリット６８が、穴部５７ａとスリット７６が、それぞれ勘合するようになっている。
【００７８】
側部５５の先端部には、切り欠き部５５ａが形成される。
【００７９】
底部５１の右端部には、側部５９〜側部６１が、折り線を介して折り曲げ自在に連接される。支持部５８は、側部５９〜側部６１を、折り線の部位で、断面略矩形の角筒状に折り曲げて形成されるようになっている。
【００８０】
側部５９の上下両端部には、折り曲げ片５９ａ及び折り曲げ片５９ｂが、折り線を介してそれぞれ連接される。
【００８１】
側部６０及び側部６１には、穴部６２及び穴部６３が形成される。
【００８２】
穴部６２及び穴部６３の全体的な形状について説明すると、側部６０に形成される穴部６２ｂ及び穴部６３ｂは、側部６１に形成される穴部６２ａ及び穴部６３ａよりも巾が広く形成されている。詳しくは後述するが、基部５０が組み立てられる際に、穴部６２ｂへ先端部６７ｃが、穴部６３ｂへ先端部７５ｃが、それぞれ挿入される。そして、穴部６２ａとスリット６９が、穴部６３ａとスリット７７が、それぞれ勘合するようになっている。
【００８３】
側部６１の先端部には、切り欠き部６１ａが形成される。
【００８４】
底部５１の上方端部には、後部６５〜後部６７が、折り線を介して折り曲げ自在に連接される。支持部６４は、後部６５〜後部６７を、折り線の部位で、断面略矩形の角筒状に折り曲げて形成されるようになっている。
【００８５】
後部６７には、ゴムＴが連通される穴部７０及び穴部７１が穿孔される。また、後部６７の先端部には、スリット６８及びスリット６９が形成される。
【００８６】
このスリット６８及びスリット６９は、支持部６４と、支持部５２及び支持部５８を、それぞれ断面略矩形の角筒状に折り曲げられた状態で補形するためのものである。具体的には、支持部６４と、支持部５２及び支持部５８が、それぞれ断面略矩形の角筒状に折り曲げられた状態で、スリット６８が穴部５６ａと、スリット６９が穴部６２ａとそれぞれ勘合することによって、支持部６４と、支持部５２及び支持部５８が補形されるようになっている。
【００８７】
底部５１の下方端部には、前部７３〜前部７５が、折り線を介して折り曲げ自在に連接される。支持部７２は、前部７３〜前部７５を、折り線の部位で、断面略矩形の角筒状に折り曲げて形成されるようになっている。
【００８８】
前部７５の先端部には、スリット７６及びスリット７７が形成される。
【００８９】
このスリット７６及びスリット７７は、支持部７２と、支持部５２及び支持部５８を、それぞれ断面略矩形の角筒状に折り曲げられた状態で補形するためのものである。具体的には、支持部７２と、支持部５２及び支持部５８が、それぞれ断面略矩形の角筒状に折り曲げられた状態で、スリット７６が穴部５７ａと、スリット７７が穴部６３ａとそれぞれ勘合することによって、支持部７２と、支持部５２及び支持部５８が補形されるようになっている。
【００９０】
このような展開図から基部５０を組み立てる方法の一例としては、支持部５２、及び支持部５８を、支持部６４及び支持部７２よりも先に、上述した断面略矩形の角筒状に折り曲げて、組み立てる。
【００９１】
そして、穴部５６ｂへ先端部６７ａを、穴部６２ｂへ先端部６７ｃを、それぞれ挿入して、穴部５６ａとスリット６８、及び穴部６２ａとスリット６９を勘合させることにより、支持部６３と、支持部５２及び支持部５８を、それぞれ断面略矩形の角筒状に折り曲げられた状態で補形する。
【００９２】
次に、穴部５７ｂへ先端部７５ａを、穴部６３ｂへ先端部７５ｃを挿入して、穴部５７ａとスリット７６、及び穴部６３ａとスリット７７を勘合させることにより、支持部７２と、支持部５２及び支持部５８を、それぞれ断面略矩形の角筒状に折り曲げられた状態で補形する。
【００９３】
なお、引き出し１を組み立てる方法は上述した例に限られず、任意に選択することが可能である。
【００９４】
次に、レール２００の展開図について、図６を用いて説明する。
【００９５】
図６は、レール２００の展開図である。
【００９６】
図６に示すように、レール２００の展開図は、図４に示す引き出し１の展開図及び図５に示す基部５０の展開図と同様に、ＰＥＴ材等の薄型樹脂製板材、段ボール、又は少なくとも２以上の板状の部材を組み合わせてなる合成部材等の折り曲げ可能な板状の部材を素材とし、主として天面部２０２の左右両端部に、それぞれ側部２０３〜２０６が折り線を介して連接された台座部２０１と、底部２０７から構成される。
【００９７】
以下、板状の部材の一例として、三枚合紙を適用した場合について説明する。
【００９８】
そして、このレール２００の展開図は、三枚合紙を台座部２０１及び底部２０７と略同じ形の金型により打ち抜いて形成される。打ち抜かれる際に、図６における実線部分の切断が行われる。
【００９９】
なお、本実施形態におけるレール２００は、左右対称形状を示すものである。従って、左右で同一形状を示す個所については、少なくとも同一の構成、作用、及び効果を奏するものとする。
【０１００】
天面部２０２には、ゴムＴが連通される穴部２０２ａ及び穴部２０２ｂが穿孔される。
【０１０１】
このような展開図からレール２００を組み立てる方法の一例としては、天面部２０２を基準に、側部２０３〜側部２０６を折り線を介して凸形状に折り曲げて、底部２０７と固定する。
【０１０２】
以上説明したように、本実実施形態によれば、基部５０と、基部５０の切り欠き部５５ａ及び切り欠き部６１ａへ、レール２００の平坦部を挿入して載置される引き出し１とを備え、引き出し１が、基部５０に対して、一方向に引き出し自在となる収納具Ｓ１であって、引き出し１と基部５０がゴムＴによって接続されることにより、引き出し１が引き出された場合に、引き出された方向と反対の方向へ所定の引き戻し力が作用するように構成したため、利用者は容易に被収納物を取り出し、又は収納することができる。
【０１０３】
［３.他の実施例］
なお、以上説明した実施形態は特許請求の範囲にかかる発明を限定するものではない。そして、上記実施形態の中で説明されている構成の組み合わせ全てが発明の課題解決に必須の手段であるとは限らない。
【０１０４】
具体的には、収納具Ｓ１の材質は、収納される商品の重量及び外形に応じて適宜変更することができる。例えば、大型の商品が収納される場合には、収納具Ｓ１の材質として、Ａ、Ｂフルート段ボールを適用するようにしてもよく、小型の商品が載置される場合にはＥフルート段ボールを適用するようにしてもよい。さらに、商品の重量及び外形に応じて、紙、上質紙やＰＥＴ材等の薄型樹脂製板材等の折り曲げ自在の板状の部材を適用するようにしてもよい。さらに、収納具Ｓ１を、熱可塑性樹脂を成型することによって製造するようにしてもよいし、鉄、鋼等を板金加工により製造するようにしてもよい。
【０１０５】
また、収納具Ｓ１の大きさは、収納される商品の重量及び外形に応じて適宜変更することができる。例えば、大型の商品が収納される場合には、収納部の大きさを長手方向又は短手方向へ大きくするようにしてもよい。
【０１０６】
また、収納具Ｓ１の設置面（基部５０の底部５１の裏側）に板状の磁石（マグネット）を固定するようにしてもよい。これにより、例えば、スチール製の棚等磁性を帯びた部分へ収納具Ｓ１を載置する際に、固定力が増加する。
【符号の説明】
【０１０７】
１        引き出し
２        底部
３        側部
４        側部
４ａ      折り曲げ片
４ｂ      折り曲げ片
５        側部
６        側部
７        後部
７ａ      挿入片
７ｂ      挿入片
８        後部
８ａ      切り欠き部
８ｂ      切り欠き部
９        前部
９ａ      挿入片
９ｂ      挿入片
１０      前部
１０ａ    切り欠き部
１０ｂ    切り欠き部
１１ａ    穴部
１１ｂ    穴部
５０      基部
５１      底部
５２      支持部
５３      側部
５３ａ    折り曲げ片
５３ｂ    折り曲げ片
５４      側部
５５      側部
５５ａ    切り欠き部
５６      穴部
５６ａ    穴部
５６ｂ    穴部
５７      穴部
５７ａ    穴部
５７ｂ    穴部
５８      支持部
５９      側部
５９ａ    折り曲げ片
５９ｂ    折り曲げ片
６０      側部
６１      側部
６１ａ    切り欠き部
６２      穴部
６２ａ    穴部
６２ｂ    穴部
６３      穴部
６３ａ    穴部
６３ｂ    穴部
６４      支持部
６５      後部
６６      後部
６７      後部
６７ａ    先端部
６７ｂ    先端部
６７ｃ    先端部
６８      スリット
６９      スリット
７０      穴部
７１      穴部
７２      支持部
７３      前部
７４      前部
７５      前部
７５ａ    先端部
７５ｂ    先端部
７５ｃ    先端部
７６      スリット
７７      スリット
１００    前面板
２００    レール
２０１    台座部
２０７    底部
Ｔ        ゴム
Ｓ１      収納具
【図１】
0005768497.tif 000002
【図２】
0005768497.tif 000003
【図３】
0005768497.tif 000004
【図４】
0005768497.tif 000005
【図５】
0005768497.tif 000006
【図６】
0005768497.tif 000007